【手続補正書】
【提出日】平成19年12月6日(2007.12.6)
【手続補正１】
【補正対象書類名】明細書
【補正対象項目名】特許請求の範囲
【補正方法】変更
【補正の内容】
【特許請求の範囲】
【請求項１】  
反転処理機能を備える印刷装置で印刷すべき印刷ジョブを生成する情報処理装置であって、
アプリケーションから印刷出力のための印刷データを受信する受信手段と、
前記反転処理機能を用いた印刷処理を実行することを含む設定条件が指定されているか否かを判定する判定手段と、
前記判定手段により前記設定条件が指定されていると判定された場合、前記設定条件と前記印刷データとに基づいて、前記反転処理機能が適用された印刷処理結果を示すプレビュー画像を表示するためのプレビュー表示制御手段とを備えることを特徴とする情報処理装置。
【請求項２】
前記アプリケーションより受信された印刷データを中間コード形式に変換し、該変換された中間コード形式のデータと、前記印刷データの処理条件とを保存する中間データ変換手段と、
前記プレビュー表示制御手段が前記プレビュー画像を表示した後で、前記中間データ変換手段により保存された中間コード形式データに基づいて、印刷ジョブを生成するジョブ生成手段とを更に備え、
前記中間コード形式データは、前記プレビュー画像のためにも用いられることを特徴とする請求項１に記載の情報処理装置。
【請求項３】
前記中間データ変換手段により保存された、中間コード形式に変換された印刷データの設定条件を編集する編集手段を更に備え、
前記編集手段は、複数の中間コード形式の印刷データが保存されている場合に、該複数の中間コード形式の印刷データを結合して一つの結合ジョブを生成することを特徴とする請求項２に記載の情報処理装置。
【請求項４】
前記プレビュー表示制御手段は、設定条件として左右反転の設定条件が指定されている場合は、前記印刷データに基づくプレビュー画像を左右反転した表示形式でプレビューすることを特徴とする請求項１乃至３のいずれか１項に記載の情報処理装置。
【請求項５】
前記プレビュー表示制御手段は、設定条件として色反転が指定されている場合は、前記印刷データに基づくプレビュー画像を色反転した表示形式でプレビューすることを特徴とする請求項１乃至３のいずれか１項に記載の情報処理装置。
【請求項６】
前記プレビュー表示制御手段は、前記編集手段により複数のジョブが結合した場合は、該結合ジョブを一つのジョブとした表示形式でプレビューすることを可能とすることを特徴とする請求項３に記載の情報処理装置。
【請求項７】
印刷装置と接続された情報処理装置であって、
アプリケーションにより生成された印刷データに対する設定条件として、前記印刷データに基づく表示データを左右反転する鏡像設定が設定されており、かつ、複数ページを用紙の１つの面に配置するＮｕｐが設定されている場合に、ページ単位に鏡像設定を反映した鏡像表示データを生成すべきか否かを判断する鏡像単位判断手段と、
前記鏡像単位判断手段により、ページ単位に鏡像表示データを生成すべきと判断された場合に、各ページの配置順を変えずに、各ページの鏡像表示データが配置されたプレビュー画像を表示するプレビュー表示制御手段とを備えることを特徴とする情報処理装置。
【請求項８】
反転処理機能を備える印刷装置で印刷すべき印刷ジョブを生成する情報処理方法であって、
アプリケーションから印刷出力のための印刷データを受信する受信工程と、
前記反転処理機能を用いた印刷処理を実行することを含む設定条件が指定されているか否かを判定する判定工程と、
前記判定工程により前記設定条件が指定されていると判定された場合、前記設定条件と前記印刷データとに基づいて、前記反転処理機能が適用された印刷処理結果を示すプレビュー画像を表示するためのプレビュー表示制御工程とを備えることを特徴とする情報処理方法。
【請求項９】
前記アプリケーションより受信された印刷データを中間コード形式に変換し、該変換された中間コード形式のデータと、前記印刷データの処理条件とを保存する中間データ変換工程と、
前記プレビュー表示制御工程により前記プレビュー画像が表示された後で、前記中間データ変換工程により保存された中間コード形式データに基づいて、印刷ジョブを生成するジョブ生成工程とを更に備え、
前記中間コード形式データは、前記プレビュー画像のためにも用いられることを特徴とする請求項８に記載の情報処理方法。
【請求項１０】
前記中間データ変換工程により保存された、中間コード形式に変換された印刷データの設定条件を編集する編集工程を更に備え、
前記編集工程は、複数の中間コード形式の印刷データが保存されている場合に、該複数の中間コード形式の印刷データを結合して一つの結合ジョブを生成することを特徴とする請求項９に記載の情報処理方法。
【請求項１１】
前記プレビュー表示制御工程は、設定条件として左右反転の設定条件が指定されている場合は、前記印刷データに基づくプレビュー画像を左右反転した表示形式でプレビューすることを特徴とする請求項８乃至１０のいずれか１項に記載の情報処理方法。
【請求項１２】
前記プレビュー表示制御工程は、設定条件として色反転が指定されている場合は、前記印刷データに基づくプレビュー画像を色反転した表示形式でプレビューすることを特徴とする請求項８乃至１０のいずれか１項に記載の情報処理方法。
【請求項１３】
前記プレビュー表示制御工程は、前記編集工程の処理により複数のジョブが結合した場合は、該結合ジョブを一つのジョブとした表示形式でプレビューすることを可能とすることを特徴とする請求項１０に記載の情報処理方法。
【請求項１４】
印刷装置と接続された情報処理装置において実行される情報処理方法であって、
アプリケーションにより生成された印刷データに対する設定条件として、前記印刷データに基づく表示データを左右反転する鏡像設定が設定されており、かつ、複数ページを用紙の１つの面に配置するＮｕｐが設定されている場合に、ページ単位に鏡像設定を反映した鏡像表示データを生成すべきか否かを判断する鏡像単位判断工程と、
前記鏡像単位判断工程により、ページ単位に鏡像表示データを生成すべきと判断された場合に、各ページの配置順を変えずに、各ページの鏡像表示データが配置されたプレビュー画像を表示するプレビュー表示制御工程と、を備えることを特徴とする情報処理方法。
【請求項１５】
反転処理機能を備える印刷装置で印刷すべき印刷ジョブを生成する情報処理方法をコンピュータに実行させるためのコンピュータプログラムを格納したコンピュータ可読の記憶媒体であって、該コンピュータプログラムが、
アプリケーションから印刷出力のための印刷データを受信する受信工程と、
前記反転処理機能を用いた印刷処理を実行することを含む設定条件が指定されているか否かを判定する判定工程と、
前記判定工程により前記設定条件が指定されていると判定された場合、前記設定条件と前記印刷データとに基づいて、前記反転処理機能が適用された印刷処理結果を示すプレビュー画像を表示するためのプレビュー表示制御工程とをコンピュータに実行させることを特徴とする記憶媒体。
【請求項１６】
印刷装置と接続された情報処理装置において実行される情報処理方法をコンピュータに実行させるためのコンピュータプログラムを格納したコンピュータ可読の記憶媒体であって、該コンピュータプログラムが、
アプリケーションにより生成された印刷データに対する設定条件として、前記印刷データに基づく表示データを左右反転する鏡像設定が設定されており、かつ、複数ページを用紙の１つの面に配置するＮｕｐが設定されている場合に、ページ単位に鏡像設定を反映した鏡像表示データを生成すべきか否かを判断する鏡像単位判断工程と、
前記鏡像単位判断工程により、ページ単位に鏡像表示データを生成すべきと判断された場合に、各ページの配置順を変えずに、各ページの鏡像表示データが配置されたプレビュー画像を表示するプレビュー表示制御工程とをコンピュータに実行させることを特徴とする記憶媒体。
【手続補正２】
【補正対象書類名】明細書
【補正対象項目名】０００７
【補正方法】変更
【補正の内容】
【０００７】
即ち、本発明にかかる情報処理装置は、反転処理機能を備える印刷装置で印刷すべき印刷ジョブを生成する情報処理装置であって、
アプリケーションから印刷出力のための印刷データを受信する受信手段と、
前記反転処理機能を用いた印刷処理を実行することを含む設定条件が指定されているか否かを判定する判定手段と、
前記判定手段により前記設定条件が指定されていると判定された場合、前記設定条件と前記印刷データとに基づいて、前記反転処理機能が適用された印刷処理結果を示すプレビュー画像を表示するためのプレビュー表示制御手段とを備えることを特徴とする。
【手続補正３】
【補正対象書類名】明細書
【補正対象項目名】０００８
【補正方法】変更
【補正の内容】
【０００８】
また、本発明にかかる情報処理方法は、反転処理機能を備える印刷装置で印刷すべき印刷ジョブを生成する情報処理方法であって、
アプリケーションから印刷出力のための印刷データを受信する受信工程と、
前記反転処理機能を用いた印刷処理を実行することを含む設定条件が指定されているか否かを判定する判定工程と、
前記判定工程により前記設定条件が指定されていると判定された場合、前記設定条件と前記印刷データとに基づいて、前記反転処理機能が適用された印刷処理結果を示すプレビュー画像を表示するためのプレビュー表示制御工程とを備えることを特徴とする。
【手続補正４】
【補正対象書類名】明細書
【補正対象項目名】０００９
【補正方法】変更
【補正の内容】
【０００９】
また、本発明にかかるコンピュータ可読の記憶媒体は、反転処理機能を備える印刷装置で印刷すべき印刷ジョブを生成する情報処理方法をコンピュータに実行させるためのコンピュータプログラムを格納したコンピュータ可読の記憶媒体であって、該コンピュータプログラムが、
アプリケーションから印刷出力のための印刷データを受信する受信工程と、
前記反転処理機能を用いた印刷処理を実行することを含む設定条件が指定されているか否かを判定する判定工程と、
前記判定工程により前記設定条件が指定されていると判定された場合、前記設定条件と前記印刷データとに基づいて、前記反転処理機能が適用された印刷処理結果を示すプレビュー画像を表示するためのプレビュー表示制御工程とをコンピュータに実行させることを特徴とする。